(57)【特許請求の範囲】
【請求項１】
吊り部材を介して建物躯体の上部構造に吊り下げ支持される天井下地に、天井面を形成する天井材をビス留めしてなる吊り天井構造において、
前記天井材の下面側に、スチールテープの帯状部材、繊維材の帯状部材、またはシート材の帯状部材を配設し、該帯状部材の位置でビス留めして前記天井材が前記天井下地に取り付けられており、
前記帯状部材がワッシャーのように機能し、ビス留め位置に作用する力が分散してビスの面圧が低減するように構成され、
前記帯状部材の端部を折り返して前記天井下地に固定し、前記帯状部材が前記天井材の落下防止機構を構成していることを特徴とする吊り天井構造。
【発明の詳細な説明】
【技術分野】
【０００１】
本発明は、吊り天井の構造に関する。
【背景技術】
【０００２】
従来、例えば学校、病院、生産施設、体育館、プール、空港ターミナルビル、オフィスビル、劇場、シネコン等の建物の天井として、吊り天井が多用されている（例えば、特許文献１、特許文献２参照）。そして、吊り天井（吊り天井構造）Ａには、例えば図２に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材等の上部構造（建物躯体）３に固着して配設される複数の吊りボルト（吊り部材）４と、野縁１と野縁受け２からなる格子状の天井下地７（野縁１の下面）にビス留めして一体に取り付けられ、天井面（天井部５）を形成する石膏ボードなどの天井パネル（天井材）６とを備えて構成したものがある。
【０００３】
また、例えば図３に示すように、クリーンルームのようにファンフィルターユニット等の大重量の設備機器を天井部５に設置する必要がある吊り天井（吊り天井構造）Ａには、水平の一方向Ｔ１に所定の間隔をあけて並設され、一方向Ｔ１に直交する他方向Ｔ２に延びる複数のＴバー８と、上端を上部構造に固着し、下端側をＴバー８に接続して配設された複数の吊りボルト４と、Ｔバー８などからなる天井下地７にビス留めして一体に取り付けられて天井面（天井部５）を形成する天井パネル６とを備えて構成したものもある。
【０００４】
ここで、このように野縁１及び野縁受け２や、Ｔバー８等の天井下地７と天井パネル６を吊りボルト４で吊り下げ支持してなる吊り天井Ａは、その構造上、地震時に作用する水平力によって横揺れしやすい。そして、地震時に横揺れして、天井部５の端部５ａが壁や柱、梁などの建物構成部材（建物躯体）９に衝突し、天井パネル６に破損が生じたり、脱落が生じるおそれがあった。
【０００５】
このため、従来、上部構造３などに上端側を接続し、下端側を吊りボルト４や、野縁１、野縁受け２、Ｔバー８などの天井下地７に接続して補強ブレース１０を設け、天井下地７及び天井パネル６からなる天井部５の地震時の横揺れを抑えるようにしている（図３参照）。
【先行技術文献】
【特許文献】
【０００６】
【特許文献１】特開２００８−１２１３７１号公報
【特許文献２】特開２００５−３５０９５０号公報
【発明の概要】
【発明が解決しようとする課題】
【０００７】
一方、例えば発泡材などを用いた軽量の天井パネルを用いることで、地震時の横揺れを抑えることが可能になる。しかしながら、この種の軽量天井パネルを用いると、その強度、剛性が小さいことにより、地震時に軽量天井パネルを天井下地に固定するためのビスの抜け（ビス頭抜け）が生じやすくなり、最悪、天井パネルが落下するおそれが生じる。
【０００８】
本発明は、上記事情に鑑み、天井材（天井パネル）を固定するビス抜けを防止し、天井材の落下防止を可能にした吊り天井構造を提供することを目的とする。
【課題を解決するための手段】
【０００９】
上記の目的を達するために、この発明は以下の手段を提供している。
【００１０】
本発明の吊り天井構造は、吊り部材を介して建物躯体の上部構造に吊り下げ支持される天井下地に、天井面を形成する天井材をビス留めしてなる吊り天井構造において、前記天井材の下面側に、スチールテープの帯状部材、繊維材の帯状部材、またはシート材の帯状部材を配設し、該帯状部材の位置でビス留めして前記天井材が前記天井下地に取り付けられており、前記帯状部材がワッシャーのように機能し、ビス留め位置に作用する力が分散してビスの面圧が低減するように構成され、前記帯状部材の端部を折り返して前記天井下地に固定し、前記帯状部材が前記天井材の落下防止機構を構成していることを特徴とする。
【発明の効果】
【００１２】
本発明の吊り天井構造においては、天井材の下面側に帯状部材を設置し、この帯状部材の位置にビスを打ち込んで天井材を天井下地に固定する。これにより、地震によって吊り天井に横揺れが生じた場合に、帯状部材をワッシャーのように機能させ、ビス留め位置に作用する力を分散し、ビスの面圧を低減することができる。また、ビスの緩みの発生を防止することができる。
【００１３】
よって、本発明の吊り天井構造によれば、例えば軽量の天井材を用いた場合であっても、地震時にビスの抜け（ビス頭抜け、引き抜け）が生じることを防止でき、天井材が落下することを防止することが可能になる。
【図面の簡単な説明】
【００１４】
【図１】本発明の一実施形態に係る吊り天井構造を示す斜視図である。
【図２】従来の吊り天井構造を示す斜視図である。
【図３】従来の吊り天井構造を示す斜視図である。
【発明を実施するための形態】
【００１５】
以下、図１を参照し、本発明の一実施形態に係る吊り天井構造について説明する。ここで、本実施形態は、例えば学校、病院、生産施設、体育館、プール、空港ターミナルビル、オフィスビル、劇場、シネコン等の建物の天井として用いられる吊り天井の構造に関するものである。
【００１６】
本実施形態の吊り天井（吊り天井構造）Ｂは、図１に示すように、野縁１と野縁受け２と吊り部材４と天井パネル（天井材）６とを備えて構成されている。
【００１７】
野縁１は、例えば断面コ字状に形成された溝形鋼であり、水平に延設され、且つ水平の一方向の横方向Ｔ１に所定の間隔をあけ、平行に複数配設されている。
【００１８】
野縁受け２は、例えば断面コ字状に形成された溝形鋼であり、水平に延設され、且つ水平の他方向の横方向Ｔ２に所定の間隔をあけ、平行に複数配設されている。また、このとき、野縁受け２は、野縁１と交差するように配設されるとともに、複数の野縁１上に載置した状態で配設される。そして、各野縁受け２は、野縁１と交差する部分で、野縁接続用金具（クリップ）を使用することにより野縁１に接続されている。
【００１９】
吊り部材４は、円柱棒状に形成されるとともに外周面に雄ネジの螺刻を有する吊りボルトであり、上端を上階の床材等の上部構造３（建物躯体）に固着、または鋼製の根太等に緊結して垂下され、下端側を、吊り部材接続用金具（ハンガー）を用いることにより野縁受け２に接続して複数配設されている。また、複数の吊り部材４は、所定の間隔をあけて分散配置されている。
【００２０】
本実施形態の天井パネル６は、例えば発泡材などを用いた軽量の天井パネルであり、野縁１と野縁受け２によって形成された天井下地７（複数の野縁１）の下面にビス留めして設置されている。
【００２１】
そして、この吊り天井Ｂでは、吊り部材４を介して建物の上部構造３に、野縁１と野縁受け２と天井パネル６とが吊り下げ支持されている。また、本実施形態では、天井下地７に取り付けた軽量の天井パネル６にさらに外装材１１を取り付けることによって天井部５が形成され、この天井部５によって下階の天井面が形成されている。
【００２２】
一方、本実施形態の吊り天井Ｂにおいては、図１に示すように、幅２０〜５０ｍｍ程度のスチールテープや繊維材、シート材などの帯状部材１２を天井パネル６の下面側の所定位置に貼り付けるなどして配設する。また、帯状部材１２の端部は、折り返して天井部５の外周端部５ａ側の天井下地７に固定する。そして、本実施形態の吊り天井Ｂでは、このように取り付けた帯状部材１２の位置にビス１３を打ち込み、天井パネル６を天井下地７に固定する。
なお、天井パネル６は、帯状部材１２の位置以外の部分にもビス１３を打ち込み、固定してもよい。
【００２３】
これにより、地震によって吊り天井Ｂに横揺れが生じた場合であっても、帯状部材１２がワッシャーのように機能し、ビス留め位置に作用する力が分散してビス１３の面圧が低減する。
【００２４】
したがって、本実施形態の吊り天井Ｂにおいては、天井パネル６の下面側に帯状部材１２を設置し、この帯状部材１２の位置にビス１３を打ち込んで天井パネル６を天井下地７に固定することにより、地震によって吊り天井Ｂに横揺れが生じた場合に、帯状部材１２がワッシャーのように機能し、ビス留め位置に作用する力を分散しビス１３の面圧を低減することができる。また、ビス１３の緩みの発生を防止することができる。
【００２５】
よって、本実施形態の吊り天井Ｂによれば、例えば軽量の天井パネル６を用いた場合であっても、地震時にビス１３の抜け（ビス頭抜け、引き抜け）が生じることを防止でき、天井パネル６が落下することを確実に防止することが可能になる。
【００２６】
また、天井パネル６の下方に両端部を固定した帯状部材１２が設けられているため、万一天井下地７から天井パネル６が外れた場合であっても、帯状部材１２によって天井パネル１２の落下を防止することが可能になる。すなわち、本発明にかかる帯状部材が落下防止機構として機能することで、天井パネル６のさらなる落下防止を図ることができる。
【００２７】
以上、本発明に係る吊り天井構造の一実施形態について説明したが、本発明は上記の一実施形態に限定されるものではなく、その趣旨を逸脱しない範囲で適宜変更可能である。
【００２８】
例えば、本実施形態では、天井下地７が野縁１と野縁受け２を備えて構成されているものとしたが、本発明に係る天井下地は、必ずしも本実施形態のように限定しなくてもよく、例えば、吊りボルト（吊り部材）４に吊り下げ支持されて水平の一方向Ｔ１に所定の間隔をあけて並設されるとともに一方向Ｔ１に直交する他方向Ｔ２に延びる複数のＴバー（断面逆Ｔ型の支持部材）を備えて構成した天井下地７であってもよい。すなわち、本発明は、特に天井下地の構成を限定する必要はない。
【００２９】
また、本実施形態では、天井パネル６が発泡材などを用いた軽量の天井パネルであるものとして説明を行ったが、天井パネル６が従来多用されている石膏ボードなどであっても、勿論本発明を適用可能である。そして、この場合においても本実施形態と同様の作用効果を得ることが可能である。
【００３０】
さらに、本実施形態では、天井部５の一端部（５ａ）から他端部（５ａ）まで連続して帯状部材１２を延設し、帯状部材１２の両端部をそれぞれ、天井部５の両端部５ａ側で折り返して天井下地７にビス留めするなどして固定するようにしている。
これに対し、帯状部材１２は、１枚の天井パネル６毎や複数の天井パネル６毎に端部５ａを折り返して天井下地７に固定してもよく、この場合においても本実施形態と同様の作用効果を得ることが可能である。
また、帯状部材１２はその端部をビス以外の手段（手法）で固定しても勿論構わない。
【符号の説明】
【００３１】
１      野縁
２      野縁受け
３      上部構造（建物躯体）
４      吊り部材（吊りボルト）
５      天井部
５ａ    端部
６      天井材（天井パネル）
７      天井下地
８      Ｔバー
９      建物構成部材（建物躯体）
１０    補強ブレース
１１    外装材
１２    帯状部材
１３    ビス
Ａ      従来の吊り天井構造
Ｂ      吊り天井構造
Ｈ      天井裏空間
Ｔ１    横方向（一方向）
Ｔ２    横方向（他方向）
Ｔ３    上下方向
【図１】
0006664696.tif 000002
【図２】
0006664696.tif 000003
【図３】
0006664696.tif 000004